(57)【要約】【課題】強い抜去力がプラグに付与されてもプラグを電源コンセントから抜けなくするプラグ抜け止め装置を提供する。【解決手段】ホルダー受け５１と、それに挿入されて係合するホルダー５２とを含んで成る。ホルダー５２は孔５２ｂ１が形成された後壁部５２ｂと側壁部とを有し前面５２ａが開放されて箱状に形成される。ホルダー５２は、貫通孔５２ｂ１に連結し一側壁部５２ｃを分割するスリット５２ｃ１と、他の側壁部５２ｄに設けられて離接方向に撓むレバー５２ｅと、レバー５２ｅに設けられホルダー５２がホルダー受け５１に挿入された際にホルダー受け５１に係合する第１係合手段５２ｅ３と、を備え、ホルダー受け５１は、第１係合手段５２ｅ３と係合する第２係合手段５１ｄ１とスリット５２ｃ１の対向端面５２ｃ３と略当接する一対のリブ５１ｃ１，５１ｃ２とを備える。【選択図】図５
2010003436.tif 000002
【特許請求の範囲】
【請求項１】
ホルダー受けと、プラグを内部に収納した状態で前記ホルダー受けに挿入されて係合するホルダーと、を含んで構成され、プラグの抜け止めを行うプラグ抜け止め装置であって、
前記ホルダーは、
貫通孔を有する後壁部と前記後壁部の各辺に連結した複数の側壁部とを有すると共に前面が開放されて略箱状に形成される一方、
一端が前記貫通孔に連結されると共に前記側壁部の内の一つの側壁部に前記前面側に向け前記挿入方向に沿って延在して前記側壁部を分割するスリットと、
他の側壁部に設けられ前記前面側を支点に前記他の側壁部に対して離接する方向に弾性変形するレバーと、
前記レバーに設けられ、前記ホルダーが前記ホルダー受けに挿入された際に前記ホルダー受けに係合する第１の係合手段と、を備え、
前記ホルダー受けは、
前記ホルダーが挿入された際に前記第１の係合手段と係合する第２の係合手段と、
前記スリットの対向端面と略当接するよう前記挿入方向に沿って延在する一対のリブと、を備えたことを特徴とするプラグ抜け止め装置。
【請求項２】
前記第１の係合手段と前記第２の係合手段とは、前記挿入方向に所定のピッチの複数の位置で係合するよう構成されていることを特徴とする請求項１記載のプラグ抜け止め装置。
【請求項３】
前記レバーは、独立して弾性変形可能なｎ個のレバーとして形成され、
前記ｎ個のレバーは、それぞれの前記所定のピッチをＰｋとした際に、前記ｎ個のレバーの前記第１の係合手段と前記第２の係合手段との各係合位置が、前記挿入方向に互いにＰｋ／２ずれて設けられていることを特徴とする請求項２記載のプラグ抜け止め装置。
【発明の詳細な説明】
【技術分野】
【０００１】
本発明は、電源コンセントに装着したプラグが抜けるのを防止するプラグ抜け止め装置に係り、特に、プラグが強い力で抜去方向に引っ張られた場合でも良好に抜け止め効果を発揮するプラグ防止装置に関する。
【背景技術】
【０００２】
電気機器から電源コードを直出しするのではなく、電気機器の例えば背面に電源コンセントを設け、この電源コンセントに対して挿抜可能な電源コードのプラグを挿入して電源を供給する構造の電気機器が知られている。
このような構造においては、電気機器の動作中に、何らかの理由でプラグが抜けて電源が強制的に切断されると種々の不具合が生じる。
そのため、プラグが電源コンセントから抜けるのを防止するプラグ抜け止め装置が知られており、一例が特許文献１に記載されている。
【０００３】
この特許文献１に記載されたプラグ抜け止め装置は、電源コンセントの周囲に取り付けられる枠状のカバー受と、前面が開放された略箱状に形成されカバー受と係合する係合手段を備えたカバーと、から構成される。
この構成において、カバーがカバー受に対して、挿抜方向の所定の位置で係合手段により係止されるようになっている。
カバーは、その後壁部に、プラグのコード基部は通過可能でプラグ本体の通過を不可とする貫通孔と、側壁部にこの貫通孔と連通するスリットと、を有して形成されている。
【０００４】
そして、このプラグ抜け止め装置は、電源コンセントに対してプラグを挿入し、コード基部を貫通孔に通して係合手段によりカバー受とカバーとを係合させることで、プラグの抜け方向への移動が後壁部で規制され、抜け防止効果を発揮する。
係合手段は、このプラグ抜け止め装置を汎用化するため、挿抜方向の長さ（以下、単に奥行きとも称する）が異なる複数種類のプラグ本体に適合すべく、その挿抜方向の係合位置が複数段階で調節できる構造とされている。
【０００５】
【特許文献１】実開平７−１６３７６号公報
【発明の開示】
【発明が解決しようとする課題】
【０００６】
ところで、この特許文献１において、カバー受とカバーとの係合手段は、一側壁にのみ設けてもよい旨開示されている（段落番号００１０）。
このように、係合手段を一側壁にのみ設けることは、カバーの係合手段の係合を外す指が入り込むスペースを削減できる。
その結果、電気機器におけるこの電源コンセントが配設された面（例えば背面）のレイアウトに自由度が増し、また、電気機器が小型の場合に、プラグ抜け止め装置が占有する面積が少なく済むので好ましい。
【０００７】
しかしながら、このカバーは、一側面にスリットが形成されているので、断面が略コ字状であり、ねじれ変形を起こし易い。
すなわち、カバーをカバー受に係合させた後であっても、プラグに対して抜去方向の強い力（例えば、電源コードを足に引っ掛けた場合など）が付与されると、カバーがねじれるように変形し易いものである。
【０００８】
そして、そのねじれ変形がある程度以上となると、係合手段の係合がはずれてカバーがカバー受から離脱し、その結果、プラグが電源コンセントから外れてしまう虞があった。
そのため、一側面にスリットが形成されたカバーを有するプラグ抜け止め装置については、プラグに強い抜去力が付与された際にそのプラグが電源コンセントから外れにくい構造であることが望まれる。
【０００９】
一方、係合手段は、カバー側に設けられた係合爪を備えた可撓性を有する弾性係合レバーと、カバー受に設けられ、弾性係合レバーの係合爪に係合する断面三角状突出部が所定ピッチで複数連続して形成された係合爪部と、から構成されている。
【００１０】
この係合手段は、係合爪及び係合爪部の突出高さを大きくすることにより係合力を高めることが可能となるが、突出高さを大きくすると、係合爪部のピッチを長くしなければならない。
その場合、カバーの係合位置の調整ピッチが粗くなって、使用するプラグの挿抜方向長さ（奥行き）によっては、抜け止め効果が良好に発揮できないことが懸念される。
すなわち、カバーのカバー受に対する係合を強固にしつつ、カバーのカバー受に対する係合位置を、より細かいピッチで調整できるようにして、高い汎用性を有するものであることが望まれる。
【００１１】
そこで、本発明が解決しようとする課題は、強い抜去力がプラグに付与されてもプラグが電源コンセントから容易に抜けないようにするプラグ抜け止め装置を提供することにある。
【００１２】
また、強い抜去力がプラグに付与されてもプラグが電源コンセントから容易に抜けることがなく、奥行きの異なる種々のプラグに適用できて汎用性がより高いプラグ抜け止め装置を提供することにある。
【課題を解決するための手段】
【００１３】
上記の課題を解決するために、本願発明は手段として次の（１）〜（３）の構成を有する。
（１）ホルダー受け５１と、プラグ６１を内部に収納した状態で前記ホルダー受け５１に挿入されて係合するホルダー５２と、を含んで構成され、プラグ６１の抜け止めを行うプラグ抜け止め装置５０であって、
前記ホルダー５２は、
貫通孔５２ｂ１を有する後壁部５２ｂと前記後壁部５２ｂの各辺に連結した側壁部とを有すると共に前面５２ａが開放されて略箱状に形成される一方、
一端が前記貫通孔５２ｂ１に連結されると共に前記側壁部の内の一側壁部５２ｃに前記前面側に向け前記挿入方向に沿って延在して前記側壁部５２ｃを分割するスリット５２ｃ１と、
他の側壁部５２ｄに設けられ前記前面５２ａ側を支点に前記他の側壁部５２ｄに対して離接する方向に弾性変形するレバー５２ｅと、
前記レバー５２ｅに設けられ、当該ホルダー５２が前記ホルダー受け５１に所定の深さ挿入された際に前記ホルダー受け５１に係合する第１の係合手段５２ｅ３と、を備え、
前記ホルダー受け５１は、
前記ホルダー５２が挿入された際に前記第１の係合手段５２ｅ３と係合する第２の係合手段５１ｄ１と、
前記スリット５２ｃ１の対向端面５２ｃ３と略当接するよう前記挿入方向に沿って延在する一対のリブ５１ｃ１，５１ｃ２と、を備えたことを特徴とするプラグ抜け止め装置５０である。
（２）前記第１の係合手段５２ｅ３と前記第２の係合手段５１ｄ１とは、前記挿入方向に所定のピッチの複数の位置で係合するよう構成されていることを特徴とする（１）に記載のプラグ抜け止め装置５０である。
（３）前記レバー５２ｅは、独立して弾性変形可能なｎ個のレバー７２ｅＡ，７２ｅＢとして形成され、
前記ｎ個のレバー７２ｅＡ，７２ｅＢは、それぞれの前記所定のピッチをＰｋとした際に、前記ｎ個のレバー７２ｅＡ，７２ｅＢの前記第１の係合手段７２ｅＡ３，７２ｅＢ３と前記第２の係合手段７１ｄ２との各係合位置が、前記挿入方向に互いにＰｋ／２ずれて設けられていることを特徴とする（２）に記載のプラグ抜け止め装置７０である。
【発明の効果】
【００１４】
本発明によれば、強い抜去力がプラグに付与されてもプラグが電源コンセントから容易に抜けることがないという効果を奏する。
【００１５】
また、強い抜去力がプラグに付与されてもプラグが電源コンセントから容易に抜けることがなく、奥行きの異なる種々のプラグに適用できて汎用性がより高い、という効果を奏する。
【発明を実施するための最良の形態】
【００１６】
本発明の実施の形態を、好ましい実施例により図１〜図１２を用いて説明する。
【００１７】
＜第１実施例＞
図１は、第１実施例のプラグ抜け止め装置５０が適用される電気機器６０とその適用状態を説明するための外観図であり、図１（ａ）が背面図、図１（ｂ）背面側斜め上方から見た斜視図である。
図２は、電気機器６０についての図１（ｂ）の斜視図を模式的に示した図である。
図３は、プラグ抜け止め装置５０を構成するホルダー受け５１を説明するための図である。
図４は、プラグ抜け止め装置５０を構成するホルダー５２を説明するため三面図及び斜視図である。具体的には、図４（ａ）が正面（後面）図、図４（ｂ）が左側面図、図４（ｃ）が右側面図、図４（ｄ）が上面図、図４（ｅ）が下面図、図４（ｆ）が背面（前面）図、図４（ｇ）が後面側左上方から見た斜視図、図４（ｈ）が図４（ｅ）におけるＨ部拡大図である。
【００１８】
以下の説明において、電気機器６０の例として液晶モニター６０を説明する。
【００１９】
図１及び図２において、この液晶モニター６０の背面６０ａには、内部に電気回路や電気部品などが収納された突出部６０ｂが形成されている。
液晶モニター６０が業務用の場合、背面６０ａには、このような突出部６０ｂが設けられたり、着脱可能なバッテリーの装着部（図示せず）が設けられる場合が多い。図１は、液晶モニター６０の突出部６０ｂに対してさらにバッテリー６０ｄを装着した状態を示している。
【００２０】
このように、背面６０ａに突出部６０ｂが設けられると、背面６０ａにおいて端子などを配設できるスペースは、かなり狭い範囲に限定される。
液晶モニター６０においては、この狭い範囲に電源コンセント６０ｃが配設されており、その配設位置は、おのずと突出部６０ｂの近傍となっている。図１は、電源コンセント６０ｃに電源コード６１ａを装着した状態を示している。
【００２１】
第１実施例のプラグ抜け止め装置５０は、ホルダー受け５１とこれに係合するホルダー５２とを有して構成される。
【００２２】
図１乃至図３に示すように、ホルダー受け５１は、概ね筒状に樹脂材により形成されている。具体的には断面が略角形状であるが、以下、便宜的に筒状と記載する。
また、ホルダー受け５１は、電子機器６０の背面６０ａにおいて電源コンセント６０ｃを囲むように取り付けられる。用いる樹脂としては、ＡＢＳ（アクリロニトリル・ブタジエン・スチレン）樹脂などがある。
電源コンセント６０ｃに対してはプラグ６１が挿抜可能とされている。
プラグ６１からは、電源の供給元側のプラグ（図示せず）と連結した電源コード６１ａが延出している。
電源コード６１ａにおけるプラグ６１側の根本近傍は、曲げ強度確保のためのコード基部６１ｂとされ、電源コード６１ａよりも若干径が大きくなっている。
【００２３】
図３に詳細を示すように、ホルダー受け５１は、筒状部５１ａと、この筒状部５１ａの一端部５１ｔ１側において、対向する一対の側壁５１ｓ２，５１ｓ４から外方向に突出する一対の突出片５１ｂと、を有している。
各突出片５１ｂには、電気機器６０の背面６０ａにネジ固定するための貫通孔５１ｂ１が形成されている。
【００２４】
図１には、ホルダー受け５１が、貫通孔５１ｂ１を介して雄ネジ６２により液晶モニター６０に固定されている状態が示されている。図１のホルダー受けは、一部後述する第２実施例の形状となっているが、この雄ネジ６２を用いた固定に関しては共通に説明される。
【００２５】
図３に戻り、他の一対の側壁５１ｓ１，５１ｓ３の内の一方の側壁５１ｓ３の中央部分には、筒状部５１ａの軸ＣＬ５１に沿って延在すると共に、軸ＣＬ５１から離れる方向に略コ字状に突出する突出部５１ｃが形成されている。
従って、このホルダー受け５１は、断面が概ね凸字状とされている。
【００２６】
この突出部５１ｃには、軸ＣＬ５１に直交する方向に矩形で開口する開口部５１ｄ１が形成されている。
この開口部５１ｄ１は、軸ＣＬ５１に沿って複数個が並列するように形成されており、この実施例においてはその数は２個である。
この複数の開口部５１ｄ１を、開口部群として、以下、係合開口部５１ｄと称する。
【００２７】
側壁５１ｓ２の内面には、軸ＣＬ５１に沿って延在する一対のリブ５１ｃ１，５１ｃ２が形成されている。
これらのリブ５１ｃ１，５１ｃ２は、筒状部５１ａの突出片５１ｂが形成された側とは反対側の端面５１ａ１（端部５１ｔ２）から所定の長さＬ１で、筒状部５１ａの内部に向かって形成されている。
また、リブ５１ｃ１，５１ｃ２の外側面の間隔は、所定の幅ＷＬとされている。
【００２８】
一方、図４に詳細を示すように、ホルダー５２は、前面５２ａ側が開放された概ね箱状を呈し樹脂材により形成されている。用いる樹脂としては、ＡＢＳ樹脂などがある。
後壁部５２ｂは概ね矩形を呈し貫通孔５２ｂ１が形成されている。
【００２９】
また、後壁部５２ｂの各辺に連結する側壁部の内の一つの側壁部５２ｃには、前後方向に延在するスリット５２ｃ１が形成されている。このスリット５２ｃ１のスリット間隔は所定の幅Ｗｓとされている。
この所定の幅Ｗｓは、ホルダー受け５１のリブ５１ｃ１，５１ｃ２の所定の幅ＷＬとほぼ同じかわずかに大きく設定されている。
スリット５２ｃ１の後端側は貫通孔５２ｂ１に連結し、このスリット５２ｃ１により一側壁部５２ｃは分割されている。
スリット５２ｃ１の前面５２ａ側には、前面５２ａ側に向かうに従ってスリット間隔Ｗｓが広がるように形成された案内部５２ｃ２が設けられている。
【００３０】
また、特に図４（ｄ）において明らかなように、一側壁部５２ｃに隣接する他の側壁部５２ｄ側には、レバー５２ｅが設けられている。
このレバー５２ｅは、側壁部５２ｄに対して前面５２ａ側で連結する連結部５２ｅ１と、連結部５２ｅ１から側壁部５２ｄと対向して後壁部５２ｂに向けて延在する基部５２ｅ２と、を有して形成されている。
さらに詳しくは、基部５２ｅ２の中間部には、外方へ突出する断面が三角形状の係合凸部５２ｅ３が形成されており、基部５２ｅ２の端部側には複数の突条５２ｅ４が形成された指掛け部５２ｅ５が設けられている。
【００３１】
図４（ｈ）は、係合凸部５２ｅ３の基部５２ｅ２の長手方向断面を示す図であり、図４（ｅ）におけるＨ部拡大図である。
【００３２】
係合凸部５２ｅ３は、基部５２ｅ２の外面５２ｅ２ａにおいて、連結部５２ｅ１側から端部側に向けて外方へ傾斜する傾斜面部５２ｅ３ａと、傾斜面５２ｅ３ａに連接し外面５２ｅ２ａと平行に形成された頂面部５２ｅ３ｃと、この頂面部５２ｅ３ｃと基部５２ｅ２とを連結し、基部５２ｅ２の外面５２ｅ２ａに略直交する係止面を有する係止面部５２ｅ３ｂと、を有している。係止面部５２ｅ３ｂの突出高さをＨｋと称する。
【００３３】
レバー５２ｅは、基部５２ｅ２が、連結部５２ｅ１を支点として側壁部５２ｄに対して離接する方向〔図４（ｄ）における矢印Ｄ１方向〕に弾性的に変形するように形成されている。
【００３４】
側壁部５２ｄと対向する側壁部５２ｆには、後方に向けて突出する突出片５２ｆ１が形成されている。
レバー５２ｅの指掛け部５２ｅ５に親指を掛け、基部５２ｅ２を側壁部５２ｄ側に変形させようとした際に、この突出片５２ｆ１に人差し指を掛けることで、その基部５２ｅ２を容易に変形させることができる。
【００３５】
次に、上述したホルダー受け５１に対するホルダー５２の係合について説明する。
【００３６】
図５は、ホルダー受け５１にホルダー５２を係合させた状態を説明する図である。
具体的には、図５（ａ）はホルダー５２の後壁部５２ｂ側から見た平面図、図５（ｂ）は図５（ａ）におけるＳ１−Ｓ１断面図、図５（ｃ）は、後面側右上方より見た斜視図、図５（ｄ）は、図５（ｂ）における前方側（図５（ｂ）の左側）の開口部５１ｄ１に係合凸部５２ｅ３が係合した状態を示す拡大図である。
【００３７】
ホルダー５２をホルダー受け５１に係合させる際には、ホルダー５２を、ホルダー受け５１に、その他端部５１ｔ２側から矢印Ｄ２方向に移動して挿入する。
【００３８】
この挿入の初期において、ホルダー５２のスリット５２ｃ１の案内部５２ｃ２にホルダー受け５１のリブ５１ｃ１，５１ｃ２が案内される。
その後、リブ５１ｃ１，５１ｃ２のその外側面とスリット５２ｃ１の内側面である対向端面５２ｃ３，５２ｃ３とがほぼ隙間なく対向する略当接状態で挿入が行われる。
従って、ホルダー５２は、スリットを有しているものの、ほとんど変形することはなく、また、ガタもほとんどなく、ホルダー受け５１に対してスムーズに挿入される。
【００３９】
また、挿入の初期において、レバー５２ｅの係合凸部５２ｅ３は、傾斜面部５２ｅ３ａから頂面部５２ｅ３ｃへとホルダー受け５１の突出部５１ｃの内面に当接して側壁部５２ｄ側に付勢される。
これにより、レバー５２ｅは矢印Ｄ１ａ方向に撓んだ状態で挿入が継続される。
そして、挿入が所定の深さに達した際に、係合凸部５２ｅ３は、ホルダー受け５１の係合開口部５１ｄの開口部５１ｄ１に嵌入係合してレバー５２ｅは元の位置に復帰する。
【００４０】
この嵌入状態で、ホルダー５２は、係合凸部５２ｅ３の係止面部５２ｅ３ｂが開口部５２ｄ１の端面に当接することで矢印Ｄ３方向への移動が規制される〔図５（ｄ）参照〕。
また、係合凸部５２ｅ３が嵌入する相手である開口部５１ｄ１は、挿入方向（軸ＣＬ５１方向）に沿って複数設けられているので、係合凸部５２ｅ３をどの開口部５１ｄ１に嵌入するかで、この移動規制の位置を複数個所選択して決定することができる。
【００４１】
開口部５１ｄ１は、ホルダー５２の挿入方向の幅Ｗｋが、係合凸部５２ｅ３の挿入方向の長さＬｋ以上となるように形成されている。
【００４２】
このような係合をするホルダー５１とホルダー受け５２の使用形態は次の通りである。
【００４３】
図２において、まず、液晶モニター６０の電源コンセント６０ｃに電源コード６１ａのプラグ６１を挿入する。
【００４４】
次に、図２の矢印Ｄ４のように、ホルダー５２のスリット５２ｃ１に電源コード６１ａを通し、その状態でホルダー５２をプラグ６１側に移動させ、ホルダー受け５１に対して上述した係合を行う。
【００４５】
これにより、図１に示すように、ホルダー５２の貫通孔５２ｂ１から電源コード６１ａのコード基部６１ｂは外部に延出し、プラグ６１はホルダー５２の内部に収納された状態となる。
【００４６】
この状態で、プラグ６１を電源コンセント６０ｃから抜去しようとすると、プラグ６１の後面６１ｃ（図２参照）がホルダー５２の後壁部５２ｂの内面に当接し、ホルダー５２を抜去方向に付勢する。
しかしながら、ホルダー５２の抜去方向の移動が係合凸部５２ｅ３と開口部５１ｄ１との係合で規制されているので、プラグ６１が抜けることはない。
【００４７】
上述したように、ホルダー受け５１に係合した場合のホルダー５２の係合深さは、複数の位置を選択できる。
従って、異なる奥行きを有する多種のプラグ６１に対しても、良好に対応して抜け止め効果を発揮することができる。すなわち、汎用性が高くなっている。
【００４８】
一方、ホルダー５２とホルダー受け５１との係合箇所が側壁面５２ｄ側の一箇所であり、ホルダー５２がスリット５２ｃ１を有してその四側面が閉じた枠を形成していない（断面が略コ字状とされている）ことから、電源コード６１ａを足で引っ掛けた場合などのようにプラグ６１に対する強い抜去力が付与された場合、ホルダー５２に対して、スリット５２ｃ１の幅Ｗｓを狭めるようにねじれ変形させる力がプラグ６１から付与される。
【００４９】
しかしながら、このようなねじれ変形をもたらす抜去力に対し、このプラグ抜け止め装置５０は、スリット５２ｃ１とほぼガタなく係合するリブ５１ｃ１，５１ｃ２を備えて、スリット５２ｃ１の幅Ｗｓが狭くなるようなホルダー５２のねじれ変形を防止する構造とされている。
この構造により、このプラグ抜け止め装置５０は、極めて高い耐プラグ抜去性能を有している。
【００５０】
＜第２実施例＞
ところで、奥行き寸法の異なるできるだけ多種のプラグに対応するため、ホルダー受け５１に係合した場合に位置決めされるホルダー５２の係合位置（深さ）は、できるだけ多数の位置（深さ）を選択できることが好ましい。
【００５１】
上述したホルダー５２は、レバー５２ｅが一片であり、ホルダー受け５１側の開口部５１ｄ１に係合する係合凸部５２ｅ３が断面三角形状であるため、多数の係合位置（深さ）を得るために開口部５１ｄ１の個数を増やす（ピッチを短くする）と、その短くしたピッチに対応して係合凸部５２ｅ３を三角形状の小さい形状にしなければならない。
従って、多数の係合位置（深さ）を選択できることに加えて、互いの係合が浅くならないようにして係合強度を維持できるような改善が望まれる。
【００５２】
以下に説明する第２実施例のプラグ抜け止め装置７０は、その係合強度の維持が成されるものである。
【００５３】
第２実施例のプラグ抜け止め装置７０は、ホルダー受け７１とこれに係合するホルダー７２とで構成される。
【００５４】
図６は、プラグ抜け止め装置７０を構成するホルダー７２を説明するための三面図及び斜視図である。具体的には、図６（ａ）が正面（後面）図、図６（ｂ）が左側面図、図６（ｃ）が右側面図、図６（ｄ）が上面図、図６（ｅ）が下面図、図６（ｆ）が背面（前面）図、図６（ｇ）が後面側左上方から見た斜視図、図６（ｈ）が図６（ｇ）におけるＨ部拡大図、図６（ｉ）が要部を説明する図である。
【００５５】
第２実施例におけるホルダー７２は、第１実施例におけるホルダー５２のレバー５２ｅを異にするものである。
【００５６】
図６の各図からわかるように、ホルダー７２は、前面７２ａ側が開放された概ね箱状を呈し樹脂材により形成されている。用いる樹脂としては、ＡＢＳ樹脂などがある。
その後壁部７２ｂには貫通孔７２ｂ１が形成されている。
【００５７】
また、一側壁部７２ｃには、前後方向に延在するスリット７２ｃ１が形成されている。このスリット７２ｃ１のスリット間隔は所定の幅Ｗｓで形成されている。
この所定の幅Ｗｓは、ホルダー受け７１のリブ７１ｃ１，７１ｃ２の幅ＷＬとほぼ同じかわずかに大きく設定されている。
このスリット７２ｃ１の前面７２ａ側には、前面７２ａ側に向かうに従ってスリット間隔Ｗｓが広がるように形成された案内部７２ｃ２が設けられている。
【００５８】
また、特に図６（ｂ），（ｇ）において明らかなように、一側壁部７２ｃに隣接する他の側壁部７２ｄ側には、レバー７２ｅＡ，７２ｅＢが並んで、かつ、それぞれ独立して設けられている。
【００５９】
以下、一対のレバー７２ｅＡ，７２ｅＢをまとめて単にレバー７２ｅと称する場合もある。また、共通する部位については同じ符号で指示する。
【００６０】
各レバー７２ｅＡ，７２ｅＢは、側壁部７２ｄの前面７２ａ側と連結した連結部７２ｅ１と、連結部７２ｅ１から側壁部７２ｄと対向して後壁部７２ｂに向けて延在する基部７２ｅＡ２，７２ｅＢ２、とを有して形成されている。
さらに具体的には、基部７２ｅＡ２，７２ｅＢ２の中間部には、外方へ突出する断面が三角形状の係合凸部７２ｅＡ３，７２ｅＢ３が複数連続して形成された係合凸部群７２Ａｋ，７２Ｂｋそれぞれ形成されており、基部７２ｅＡ２，７２ｅＢ２の端部側は厚肉とされた指掛け部７２ｅ５が設けられている。
【００６１】
図６（ｈ）は、係合凸部群７２Ａｋの、基部７２ｅ２の長手方向断面を示す図である。係合凸部群７２Ａｋと係合凸部群７２Ｂｋは、同じ形状であるので、以下代表として係合凸部群７２Ａｋについて説明する。
【００６２】
係合凸部群７２Ａｋは、上述のように、概ね断面が三角形状の係合凸部７２ｅＡ３が連続して形成されたものである。この実施例では７個がピッチＰｋで連続的に形成されている。
【００６３】
図６（ｈ）に示すように、一つの係合凸部７２ｅＡ３は、基部７２ｅ２の外面７２ｅ２ａにおいて、その連結部７２ｅ１側から端部側に向けて外方へ傾斜する傾斜面部７２ｅ３ａと、傾斜面部７２ｅ３ａに連接し外面７２ｅ２ａと平行に形成された頂面部７２ｅ３ｃと、この頂面部７２ｅ３ｃと基部７２ｅ２とを連結し、基部７２ｅ２の外面７２ｅ２ａに略直交する係止面を有する係止面部７２ｅ３ｂと、により形成されている。以下、係止面部７２ｅ３ｂの突出高さをＨｋ２と称する。
この突出高さＨＫ２を第１実施例における突出高さＨＫと同じにすることで、係合時の係合力も同等にすることができる。
【００６４】
係合凸部群７２Ａｋは、このような形状の係合凸部７２ｅＡ３がピッチＰｋで連続して形成されてなるものである。
【００６５】
一方、係合凸部群７２Ｂｋも、係合凸部７２ｅＡ３と同じ形状の係合凸部７２ｅＢ３が同じピッチＰｋで連続して形成されたものであるが、凹凸の位相を１／２ずらして配設してある。
【００６６】
すなわち、図６（ｉ）に示すように、それぞれの係合凸部７２ｅＡ３，７２ｅＢ３はピッチＰｋで形成されているものの、例えば係止面部について見ると、係止面部７２ｅＡ３ｂと係止面部７２ｅＢ３ｂが交互にピッチＰｋ／２で配設されているものとみなすことができる。
【００６７】
レバー７２ｅは、基部７２ｅ２が連結部７２ｅ１を支点として側壁部７２ｄに対して離接する方向（図６における矢印Ｄ１方向）に弾性的に変形するように形成されている。
【００６８】
側壁部７２ｄと対向する側壁部７２ｆには、後方側に突出する突出片７２ｆ１が形成されている。
レバー７２ｅの指掛け部７２ｅ５に親指を掛けて基部７２ｅ２を側壁部７２ｄ側に接近変形させようとした際に、この突出片７２ｆ１に人差し指を掛けることで、容易にその基部７２ｅ２を変形させることができる。
【００６９】
次にホルダー受け７１について説明する。
【００７０】
図７は、プラグ抜け止め装置７０を構成するホルダー受け７１を説明するための図である。
具体的には、図７（ａ）が正面（後面）図、図７（ｂ）が左側面図、図７（ｃ）が右側面図、図７（ｄ）が上面図、図７（ｅ）が下面図、図７（ｆ）が背面（前面）図、図７（ｇ）が後面側右上方から見た斜視図、図７（ｈ）が図７（ｄ）におけるＳ６−Ｓ６断面図である。
【００７１】
図７において、ホルダー受け７１は、筒状部７１ａと、この筒状部７１ａの一端部７１ｔ１側において、対向する一対の側壁７１ｓ２，７１ｓ４から外側に突出する一対の突出片７１ｂと、を有している。
各突出片７１ｂには、電気機器６０の背面６０ａにネジ固定するための貫通孔７１ｂ１が形成されている。
図１には、ホルダー受け７１が、貫通孔７１ｂ１を介して雄ネジ６２により液晶モニター６０に固定されている状態が示されている。
【００７２】
図７に戻り、他の一対の側壁７１ｓ１，７１ｓ３の内の一方の側壁７１ｓ３の中央部分には、筒状部７１ａの軸ＣＬ７１に沿って延在しその軸ＣＬ７１から離れる方向に突出する突出部７１ｃが形成されている。
従って、このホルダー受け７１は、断面が概ね凸字状とされている。
【００７３】
この突出部７１ｃには、矩形で開口する開口部７１ｄ１が形成されている。
また、その開口部７１ｄ１において、端部７１ｔ１とは反対側の端部７１ｔ２側は、所定の断面形状を有する桟部７１ｄ２とされている。この桟部７１ｄ２は、開口部７１ｄ１の対向する辺を連結する細幅の連結部である。
【００７４】
また、側壁７１ｓ２の内面には、軸ＣＬ７１に沿って延在する一対のリブ７１ｃ１，７１ｃ２が形成されている。
これらのリブ７１ｃ１，７１ｃ２は、筒状部７１ａの突出片７１ｂが形成された側とは反対側の端面７１ａ１から所定の長さＬ１で形成されている。
また、リブ７１ｃ１，７１ｃ２の外側面同士の間隔は、所定の幅ＷＬとされている。
【００７５】
図７（ｈ）に、桟部７１ｄ２の断面形状を示す。
【００７６】
桟部７１ｄ２は、端部７１ｔ２側に軸ＣＬ７１と直交する係止面部７１ｄ２ａを有し、内側に、端部７１ｔ１側に向かうに従って薄肉となるように傾斜した傾斜面部７１ｄ２ｂを有して形成されている。
係止面部７１ｄ２ａには、このホルダー受け７１にホルダー７２が挿入された際に、ホルダー７２の係合凸部群７２Ａｋ，７２Ｂｋの係止面部７２ｅＡ３ｂ，７２ｅＢ３ｂのいずれかが当接する。
【００７７】
また、傾斜面部７１ｄ２ｂの傾斜角度は、係合凸部群７２Ａｋ，７２Ｂｋの傾斜面部７２ｅ３ａの傾斜角度とほぼ同じに設定されている。
また、桟部７１ｄ２における軸ＣＬ７１方向の長さＬｓは、係合凸部群７２Ａｋ，７２ＢｋにおけるピッチＰｋの半分より短く、すなわち、Ｌｓ＜Ｐｋ／２となるように形成されている。
【００７８】
次に、上述したホルダー受け７１に対するホルダー７２の係合について図８乃至図１０などを用いて説明する。
【００７９】
図８は、ホルダー受け７１にホルダー７２を係合させた状態を説明する断面図である。
図９は、係合状態での断面図を示す。
図１０は、係合状態での要部を説明する断面図である。
また、図８においては、電源コンセント６０ｃと、それに挿入接続されたプラグ６１と、プラグ６１から延出するコード基部６１ｂと、電源コード６１ａも記載してある。ここで、プラグ６１，コード基部６１ｂ，及び電源コード６１ａは一体的に右下さがりのハッチングを付してある。
【００８０】
図７のようにホルダー７２をホルダー受け７１に係合させる際には、ホルダー７２を、ホルダー受け７１に、その他端部７１ｔ２側から矢印Ｄ２方向に移動して挿入する。
【００８１】
この挿入の初期において、ホルダー７２のスリット７２ｃ１の案内部７２ｃ２にホルダー受け７１のリブ７１ｃ１，７１ｃ２が案内される。
【００８２】
その後、リブ７１ｃ１，７１ｃ２のその外側面とスリット７２ｃ１の内側面とがほぼ隙間なく対向するように挿入が行われる。
従って、ホルダー７２は、スリットを有しているものの、変形することなく、また、ガタもほとんどなく、ホルダー受け７１に対してスムーズに挿入される。
【００８３】
また、挿入の初期において、レバー７２ｅＡ，７２ｅＢの各係合凸部７２ｅＡ３，７２ｅＢ３は、傾斜面部７２ｅＡ３ａ，７２ｅＢ３ａから頂面部７２ｅＡ３ｃ，７２ｅＢ３ｃへとホルダー受け７１の桟部７１ｄ２の傾斜面部７１ｄ２ｂに当接して側壁部７２ｄ側に付勢される。
これにより、レバー７２ｅＡ，７２ｅＢは矢印Ｄ１ａ方向に撓んだ状態で挿入が継続される。
【００８４】
そして、挿入の進行に伴い、連結部７２ｅ１側の係合凸部７２ｅＡ３，７２ｅＢ３から順に、ホルダー受け７１の開口部７１ｄに嵌入係合してレバー７２ｅＡ，７２ｅＢは元の位置に復帰し、さらなる挿入で、次の係合凸部７２ｅＡ３，７２ｅＢ３の傾斜面部７２ｅＡ３ａ，７２ｅＢ３ａが桟部７１ｄ２の傾斜面部７１ｄ２ｂに当接して側壁部７２ｄ側に付勢され、先に嵌入係合した係合凸部７２ｅＡ３，７２ｅＢ３が開口部７１ｄ１から離脱する、という嵌入離脱動作を繰り返す。
【００８５】
このとき、上述のように、レバー７２ｅＡ，７２ｅＢはそれぞれ独立して変形できるように形成されると共に、各レバー７２ｅＡ，７２ｅＢにおける係合凸部７２ｅＡ３，７２ｅＢ３は、互いに凹凸の位相が半分ずれて形成されているので、交互に開口部７１ｄに嵌入離脱する。
【００８６】
図１０に示すような、いずれかの係合凸部７２ｅＡ３，７２ｅＢ３が開口部７１ｄに嵌入した状態でプラグ６１を引き抜こうとすると、嵌入した係合凸部７２ｅＡ３，７２ｅＢ３の係止面部７２ｅＡ３ｂ，７２ｅＢ３ｂが桟部７１ｄ２の係止面部７１ｄ２ａに当接して、抜去方向の移動が規制される。
【００８７】
従って、各係合凸部７２ｅＡ３，７２ｅＢ３の形成ピッチＰｋの半分のＰｋ／２のピッチの複数の位置で、ホルダー受け７１に対するホルダー７２の挿入深さ位置を決定できるので、係合凸部７２ｅＡ３，７２ｅＢ３と桟部７１ｄ２との係合が浅くなることなく、多数の挿入深さ位置を選択することができる。
【００８８】
ここで、係合に供していないレバー、すなわち、例えばレバー７２ｅＡの係合凸部７２ｅＡ３と開口部７１ｄとが係合している場合のレバー７２ｅＢは、側壁部７２ｄ側に変形した状態で維持されるが、この変形量を材料の弾性変形内に抑えることで支障なく使用することができる。
【００８９】
このような係合をするホルダー７１とホルダー受け７２の使用方法は次の通りである。一部第１実施例と共通でありその部分は重複する。
【００９０】
図２において、まず、液晶モニター６０の電源コンセント６０ｃに電源コード６１ａのプラグ６１を挿入する。
次に、図２の矢印Ｄ４のように、ホルダー７２のスリット７２ｃ１に電源コード６１ａを通し、その状態でホルダー７２をプラグ６１側に移動させ、ホルダー受け７１に対して上述した係合を行う。
これにより、図１に示すように、ホルダー７２の貫通孔５２ｂ１から電源コード６１ａのコード基部６１ｂは外部に延出し、プラグ６１はホルダー７２の内部に収納された状態となる。
【００９１】
この状態で、プラグ６１を電源コンセント６０ｃから抜去しようとすると、プラグ６１の後面６１ｃ（図２参照）がホルダー７２の後壁部７２ｃの内面に当接し、ホルダー７２の移動が係合凸部７２ｅＡ３ｂ又は係合凸部７２ｅＢ３ｂと桟部７１ｄ２との係合で規制されているので、プラグ６１が抜けることはない。
【００９２】
上述したように、ホルダー受け７１に係合した場合のホルダー７２の係合深さは、複数の位置を選択でき、この選択できる位置のピッチは、各係合凸部７２ｅＡ３ｂ，係合凸部７２ｅＢ３ｂの形成ピッチの半分となる。すなわち、より細かく位置を選択することができ、奥行きが異なる多種のプラグにも適用できて極めて高い汎用性を有して抜け止め効果を発揮することができる。
【００９３】
また、ホルダー７２とホルダー受け７１との係合箇所が側壁面７２ｄ側の一箇所であり、ホルダー７２がスリット７２ｃ１を有してその四側面が閉じた枠を形成していない（断面が略コ字状とされている）ことから、電源コード６１ａを足で引っ掛けた場合などのようにプラグ６１に対する強い抜去力が付与された場合、ホルダー７２に対して、スリット７２ｃ１の幅Ｗｓを狭めるようにねじれ変形させる力がプラグ６１から付与される。
【００９４】
しかしながら、このようなねじれ変形をもたらす抜去力に対し、このプラグ抜け止め装置７０は、スリット７２ｃ１とほぼガタなく係合するリブ７１ｃ１，７１ｃ２を備えて、スリット７２ｃ１の幅Ｗｓが狭くなるようなホルダー７２のねじれ変形を防止する構造とされている。
【００９５】
この構造により、このプラグ抜け止め装置７０は、極めて高い耐プラグ抜去性能を有している。
【００９６】
以下、リブ５１ｃ１，５２ｃ２とスリット５２ｃ１、及びリブ７１ｃ１，７１ｃ２とスリット７２ｃ１との係合で得られる効果について説明する。
【００９７】
この効果は、第１実施例と第２実施例とで共通に発揮される。第２実施例に対応する符号は（  ）で記載する。
【００９８】
ホルダー５２（７２）がホルダー受け５１（７１）に係合した状態での、リブ５１ｃ１，５２ｃ２（７１ｃ１，７１ｃ２）と、スリット５２ｃ１（７２ｃ１）における案内部５２ｃ２（７２ｃ２）を除いた幅Ｗｓを有する部分との係合長さＬ１１が所定の長さα以上あると、充分に高い強度を有するようになる。
逆に言うと、この係合長さＬ１１が所定の長さα以上得られるように、係合凸部５２ｅ３と開口部５１ｄ１（係合凸部７２ｅＡ３，７２ｅＢ３と桟部７１ｄ２）との係合位置を設定すると良い。
【００９９】
この所定の長さαは、ホルダー５１（７１）の材質と肉厚とに最も依存する。
図１１は、係合長さＬ１１（図１１では係合リブ長さと記す）と、ホルダー５２（７２）が変形して外れてしまうプラグ６１の抜去力（図１１では引張り強度と記す）との関係を示したグラフである。
これはホルダー５２（７２）の材質がＡＢＳ樹脂でその平均肉厚が１．０ｍｍの場合である。
【０１００】
図１１からわかるように、係合長さＬ１１が１２ｍｍ以上あると、引張り強度が約２３ｋｇｆ以上得られると共に、その強度が維持される。
従って、上述の所定の長さαは１２ｍｍとなる。
【０１０１】
本発明の実施例は、上述した構成及び手順に限定されるものではなく、本発明の要旨を逸脱しない範囲において変形例としてもよいのは言うまでもない。
【０１０２】
第２実施例において、レバー７２ｅは、係合凸部が半ピッチずれて並列する２つのものを説明したが、これに限るものではない。
例えば、係合凸部が１／３ピッチずつずれて並列する３つのレバーとしてもよい。
【０１０３】
さらに一般化するならば、ピッチＰｋに対して、係合凸部の位置が互いにＰｋ／ｎ（ｎ：２以上の自然数）ずつずれたｎ個のレバーを並列して形成してよい。
【０１０４】
ｎ個のレバーは、ホルダーの一側面に、上述のように互いに隣接させて設けてもよく、互いに離隔させて設けてもよい。
【０１０５】
また、ｎ個のレバーのうちの一部を、ホルダーの一側面に設け、残りを対向する他側面に設けてもよい。
この場合、電気機器における、このプラグ抜け止め防止装置の配設場所に、ある程度の面積を要するが、ホルダー受けとホルダーとの係合箇所が複数になるので、ねじれ変形が起こり難く、耐抜去強度を維持し易くなる。
【０１０６】
また、複数のレバー７２ｅの係合凸部を、互いに挿入方向にずれのない同位相の所定ピッチＰｋで形成し、各レバー７２ｅ側において、その係合凸部がそれぞれ独立に係合する桟部７２ｄ２を設けてもよい。
【０１０７】
図１２は、ホルダー５２Ｓが、係合凸部ＫＴが挿入方向にずれなく同位相で形成された２つのレバー７２ｅを有し、ホルダー受け５１Ｓにおける各係合凸部ＫＴが係合する桟部７２Ｓに、挿入方向に所定距離Ｌｚだけずれた係止面部７２Ｓ１，７２Ｓ２を設けたプラグ抜け止め装置５０Ｓを示している。
ここで、所定距離Ｌｚは、Ｐｋ／２である。
【０１０８】
この場合においても、ホルダー受け７１Ｓに係合した場合のホルダー７２Ｓの係合深さは、複数の位置を選択でき、この選択できる位置のピッチは、各係合凸部ＫＴの形成ピッチの半分となる。すなわち、より細かく位置を選択することができ、奥行きが異なる多種のプラグにも適用できて極めて高い汎用性を有して抜け止め効果を発揮することができる。
【図面の簡単な説明】
【０１０９】
【図１】本発明のプラグ抜け止め装置の実施例における電気機器への適用形態を説明する図である。
【図２】本発明のプラグ抜け止め装置の実施例における電気機器への適用形態を説明する模式図である。
【図３】本発明のプラグ抜け止め装置の第１実施例における要部材を説明するための斜視図である。
【図４】本発明のプラグ抜け止め装置の第１実施例における他の要部材を説明するための図である。
【図５】本発明のプラグ抜け止め装置の第１実施例における要部材と他の要部材との係合状態を説明するための図である。
【図６】本発明のプラグ抜け止め装置の第２実施例における要部材を説明するための図である。
【図７】本発明のプラグ抜け止め装置の第２実施例における他の要部材を説明するための図である。
【図８】本発明のプラグ抜け止め装置の第２実施例における要部材と他の要部材との係合状態を説明するための第１の図である。
【図９】本発明のプラグ抜け止め装置の第２実施例における要部材と他の要部材との係合状態を説明するための第２の図である。
【図１０】本発明のプラグ抜け止め装置の第２実施例における要部材と他の要部材との係合状態を説明するための第３の図である。
【図１１】本発明のプラグ抜け止め装置の実施例の強度特性を説明するためのグラフである。
【図１２】本発明のプラグ抜け止め装置の実施例における変形例を説明するための図である。
【符号の説明】
【０１１０】
５０，７０  プラグ抜け止め装置
５１，７１  ホルダー受け
５１ａ，７１ａ  筒状部
５１ｂ，７１ｂ  突出片
５１ｂ１，７１ｂ１  貫通孔
５１ｃ，７１ｃ  突出部
５１ｃ１，５１ｃ２，７１ｃ１，７１ｃ２  リブ
５１ｄ  係合開口部
５１ｄ１，７１ｄ１  開口部
５１ｓ１〜５１ｓ４，７１ｓ１〜７１ｓ４  側壁
５１ｔ１，７１ｔ１  一端部
５１ｔ２，７１ｔ２  他端部
５２，７２  ホルダー
５２ａ，７２ａ  前面
５２ａ１，７２ａ１  前端面
５２ｂ，７２ｂ  後壁部
５２ｂ１，７２ｂ１  貫通孔
５２ｃ，７２ｃ  一側壁部
５２ｃ１，７２ｃ１  スリット
５２ｃ２，７２ｃ２  案内部
５２ｃ３，７２ｃ３  対向端面
５２ｄ，７２ｄ  側壁部
５２ｅ，７２ｅ，７２ｅＡ，７２ｅＢ  レバー
５２ｅ１  連結部
５２ｅ２  基部
５２ｅ２ａ  外面
５２ｅ３  係合凸部
５２ｅ３ａ  傾斜面部
５２ｅ３ｂ  係止面部
５２ｅ３ｃ  頂面部
５２ｅ４  突条
５２ｅ５  指掛け部
５２ｆ  側壁部
５２ｆ１  突出片
６０  液晶モニター（電気機器）
６０ａ  背面
６０ｂ  突出部
６０ｃ  電源コンセント
６０ｄ  バッテリー
６１  プラグ
６１ａ  電源コード
６１ｂ  コード基部
６２  雄ネジ
７１ｄ２  桟部
７１ｄ２ａ  係止面部
７１ｄ２ｂ  傾斜面部
７２Ａｋ，７２Ｂｋ  係合凸部群
７２ｅＡ３，７２ｅＢ３  係合凸部
７２ｅＡ３ｂ，７２ｅＢ３ｂ  係止面部
ＣＬ５１，ＣＬ７１  軸
Ｐｋ  ピッチ
【図１】
2010003436.tif 000003
【図２】
2010003436.tif 000004
【図３】
2010003436.tif 000005
【図４】
2010003436.tif 000006
【図５】
2010003436.tif 000007
【図６】
2010003436.tif 000008
【図７】
2010003436.tif 000009
【図８】
2010003436.tif 000010
【図９】
2010003436.tif 000011
【図１０】
2010003436.tif 000012
【図１１】
2010003436.tif 000013
【図１２】
2010003436.tif 000014